(57)【要約】【課題】操作性を向上させる。【解決手段】実施形態の表示処理装置は、受信部と、表示部と、検出部と、制御部と、を備える。受信部は、携帯端末から、当該携帯端末で生じた加速度を示した加速度検出信号を受信する。表示部は、表示領域を表示する。検出部は、表示部により表示された表示領域に対する接触を検出する。制御部は、検出部により接触が検出された時間と、受信部により加速度検出信号を受信した時間との差が所定の閾値以内の場合に、表示領域に対応する処理を実行する。【選択図】図１
2014085957.tif 000002
【特許請求の範囲】
【請求項１】
携帯端末から、当該携帯端末で生じた加速度を示した加速度検出信号を受信する受信部と、
表示領域を表示する表示部と、
前記表示部により表示された前記表示領域に対する接触を検出する検出部と、
前記検出部により接触が検出された時間と、前記受信部により前記加速度検出信号を受信した時間との差が所定の閾値以内の場合に、前記表示領域に対応する処理を実行する制御部と、
を備える表示処理装置。
【請求項２】
前記制御部は、さらに、前記検出部により接触が検出された時間と、前記受信部により前記加速度検出信号を受信した時間との差が所定の閾値より大きい場合に、前記表示領域に対応する処理と異なる処理を実行する、
請求項１に記載の表示処理装置。
【請求項３】
前記表示領域毎に、
前記制御部は、前記加速度検出信号を送信した携帯端末の種類に応じて、異なる処理を実行する、
請求項１又は２に記載の表示処理装置。
【請求項４】
前記制御部は、前記表示領域に対応する処理として、当該表示領域で示された情報を、前記加速度検出信号を送信した前記携帯端末に対して送信する、
請求項１乃至３のいずれか一つに記載の表示処理装置。
【請求項５】
前記制御部は、前記携帯端末に設定された動作に応じて、異なる処理を実行する、
請求項１乃至４のいずれか一つに記載の表示処理装置。
【請求項６】
携帯端末から、当該携帯端末で生じた加速度を示した加速度検出信号を受信する受信ステップと、
表示領域を表示部に表示する表示ステップと、
前記表示ステップにより表示された前記表示領域に対する接触を検出する検出ステップと、
前記検出ステップにより接触が検出された時間と、前記受信ステップにより前記加速度検出信号を受信した時間との差が所定の閾値以内の場合に、前記表示領域に対応する処理を実行する制御ステップと、
を含む表示処理方法。
【発明の詳細な説明】
【技術分野】
【０００１】
本発明の実施形態は、表示処理装置、及び表示処理方法に関する。
【背景技術】
【０００２】
従来、タッチパネルによるユーザインタフェイスを備えた操作表示装置が知られている。操作表示装置では、例えば利用者が指や指定の端末において、ユーザインタフェイス上に表示されたアイコン等に接触した場合に、アイコンに関連付けられた所定のプログラムを起動している。
【０００３】
操作表示装置が表示するアイコン等に端末で接触した際に、端末と操作表示装置との間で、接触したアイコン及び端末に対応する処理を実行する技術が知られている。
【先行技術文献】
【特許文献】
【０００４】
【特許文献１】特開２００９−２８２８５４号公報
【発明の概要】
【発明が解決しようとする課題】
【０００５】
しかしながら、従来技術では、操作表示装置から通信可能な端末が複数存在する状況において、接触した端末が特定できず、接触した端末に適した処理ができないことも考えられる。
【０００６】
本発明の実施形態は、上記に鑑みてなされたものであって、接触した端末に適した処理が可能な表示処理装置、及び表示処理方法を提供する。
【課題を解決するための手段】
【０００７】
実施形態の表示処理装置は、受信部と、表示部と、検出部と、制御部と、を備える。受信部は、携帯端末から、当該携帯端末で生じた加速度を示した加速度検出信号を受信する。表示部は、表示領域を表示する。検出部は、表示部により表示された表示領域に対する接触を検出する。制御部は、検出部により接触が検出された時間と、受信部により加速度検出信号を受信した時間との差が所定の閾値以内の場合に、表示領域に対応する処理を実行する。
【図面の簡単な説明】
【０００８】
【図１】図１は、第１の実施形態の操作表示装置のハードウェア構成図である。
【図２】図２は、表示部としてプロジェクタを用いて壁面に画像を表示する変形例を示した図である。
【図３】図３は、第１の実施形態にかかるアイコン記憶部に記憶されるアイコンデータテーブルのデータ構造を示した図である。
【図４】図４は、第１の実施形態にかかる携帯端末のハードウェア構成図である。
【図５】図５は、第１の実施形態にかかる操作表示装置で端末連携プログラム実行時のユーザインタフェイス画面の例を示した図である。
【図６】図６は、第１の実施形態にかかる操作表示装置と携帯端末との連携処理が行われる際のタイミングチャートを示した図である。
【図７】図７は、第１の実施形態において、検出信号を受信した時間に対して、第１携帯端末から受信した加速度検出信号の時間、及び第２携帯端末から受信した加速度検出信号の時間が非常に近い場合を示した図である。
【図８】図８は、第１の実施形態にかかる携帯端末を表示部に接触した場合に表示される画面例の遷移を示した図である。
【図９】図９は、第１の実施形態にかかる操作表示装置における、プログラムを特定して、通信を開始するまでの処理の手順を示すフローチャートである。
【図１０】図１０は、第１の実施形態にかかる操作表示装置における、通信を開始させるまでの処理手順を示すフローチャートである。
【図１１】図１１は、第１の実施形態にかかる操作表示装置における、接触したアイコンが動画に関連する場合の処理の手順を示すフローチャートである。
【図１２】図１２は、第１の実施形態にかかる操作表示装置における、接触したアイコンが音楽に関連する場合の処理の手順を示すフローチャートである。
【図１３】図１３は、第１の実施形態にかかる操作表示装置における、接触したアイコンが写真に関連する場合の処理の手順を示すフローチャートである。
【図１４】図１４は、第１の実施形態にかかる操作表示装置における、接触したアイコンがアップロードに関連する場合の処理の手順を示すフローチャートである。
【図１５】図１５は、ある商品を購入しようとした場合に表示される決済用画面の例を示した図である。
【図１６】図１６は、第１の実施形態の変形例の操作表示装置で端末連携プログラム実行時のユーザインタフェイス画面の例を示した図である。
【図１７】図１７は、第１の実施形態の変形例２にかかる操作表示装置の記憶部に格納されているデータにアクセスする際にアクセス制限を解除する場合のユーザインタフェイス画面の例を示した図である。
【図１８】図１８は、第１の実施形態の変形例２にかかる操作表示装置における、通信を開始するまでの処理の手順を示すフローチャートである。
【図１９】図１９は、第１の実施形態の変形例３にかかる操作表示装置における、通信を開始するまでの処理の手順を示すフローチャートである。
【発明を実施するための形態】
【０００９】
以下に、表示処理装置、及び表示処理方法を適用した操作表示装置の実施形態を図面に基づいて説明する。なお、この実施形態によりこの発明が限定されるものではない。
【００１０】
（第１の実施形態）
第１の実施形態にかかる操作表示装置は、タッチパネル式の表示部にユーザインタフェイス画面を表示する。操作表示装置は、ユーザインタフェイス画面に対する接触を検出することで所定の処理を実行する。携帯端末は、例えばスマートフォン等を利用することができるが、他の専用のデバイスを利用してもよい。例えば、ペンのような形状のデバイスであってもよい。
【００１１】
図１は、第１の実施形態の操作表示装置１のハードウェア構成図である。図１に示されるように、操作表示装置１は、表示部１１と、ＣＰＵ１２と、表示コントローラ部１３と、記憶部１４と、位置取得部１５と、位置取得ＩＦ（インターフェース）部１６と、通信ＩＦ（インターフェース）部１７とを備えている。
【００１２】
表示部１１は、液晶表示パネル等で構成されており、利用者に対するユーザインタフェイス画面を表示する。ＣＰＵ１２は、操作表示装置１全体を制御する。表示コントローラ部１３は、ＣＰＵ１２からの制御に従って、表示部１１に情報やユーザインタフェイス画面を画像の形式に変換して描画する。
【００１３】
位置取得部１５は、表示部１１に接触した位置座標を取得する。位置取得部１５は、表示部１１の表面に貼られたタッチセンサーフィルムにより構成される。タッチセンサーフィルムにはＸ軸方向、及びＹ軸方向にセンサが並んでおり、利用者が手や指、又は携帯端末等で画面に接触した場合に、タッチセンサーフィルムがこれらの接触を検出して、接触した位置座標を含めた検出信号を、位置取得ＩＦ部１６に出力する。なお、実際に接触することに制限するものではなく、表示部に物体がほぼ接触した状態を、接触とみなしてもよい。
【００１４】
位置取得ＩＦ部１６は、位置取得部１５から入力された検出信号（タッチセンサーフィルムが検出した位置座標を含む）を、ＣＰＵ１２に出力する。
【００１５】
位置取得部１５は、光学式タッチセンサーであってもよい。光学式タッチセンサーは光が透過したり遮断されたりすることを検出して物体の存在を検出する方式でもよいし、またカメラを用いてその撮像画像から物体の存在を検出する方式でもよい。
【００１６】
図２は、表示部１１としてプロジェクタ２１０を用いて、壁面に画像を表示する変形例を示した図である。図２に示す例では、位置取得部として、画像が投影された壁面に対して、接触が行われた場合の位置を検出するために、光学式タッチセンサー２０１、２０２を備えた例である。このような変形例であっても、第１の実施形態と同様の処理で、同様の効果を実現できる。また、位置検出部として、光学式タッチセンサー２０１、２０２に制限するものではなく、撮像カメラ等を用いてもよいし、第１の実施形態と同様に、タッチセンサーフィルムを用いてもよい。
【００１７】
図１に示される第１の実施形態に戻り、通信ＩＦ部１７は、操作表示装置１の他の端末との間のデータの送受信を行うインターフェースとする。例えば、通信ＩＦ部１７は、Bluetooth（登録商標）や無線ＬＡＮによる携帯端末のデータ送受信や、無線ＬＡＮによるインターネット通信等を行う。
【００１８】
記憶部１４は、情報を記憶可能なＲＯＭ及びＲＡＭなどの記憶媒体で構成され、アイコン記憶部２１と、プログラム群２２と、端末連携プログラム２３とを備えている。
【００１９】
アイコン記憶部２１は、ユーザインタフェイス画面上に表示するアイコン部の画像データ、アイコンが接触された場合に処理を行うプログラム、アイコン部の表示部１１のユーザインタフェイスにおける表示位置を表す位置情報と、を対応付けて記憶している。
【００２０】
図３は、アイコン記憶部２１に記憶されるアイコンデータテーブル３００のデータ構造を示した図である。図３に示されるように、アイコンデータテーブル３００は、アイコンの識別情報であるアイコンＩＤと、表示部１１で表示する際の位置の一例である（位置）座標と、アイコンサイズと、アイコンに用いられる画像データを指定するオブジェクトＩＤと、及び端末の属性毎に起動するプログラムと、を１レコードに対応付けて記憶している。
【００２１】
オブジェクトＩＤによって規定されるアイコンの画像データは、ＣＰＵ１２の制御に従って、表示部１１に、（位置）座標で示された位置に描画される。また、本実施形態にかかるアイコンデータテーブル３００は、当該アイコンが接触した際に起動するプログラムとして、接触した携帯端末が属性１の場合の属性１プログラム、接触した携帯端末が属性２の場合の属性２プログラム、及び携帯端末以外（例えば利用者の指）が接触した場合の指対応プログラムの３種類を、アイコンＩＤと対応付けて記憶している。
【００２２】
ここでいうプログラムとは、実行コードが異なるものに限るわけではなく、同じ実行コードであっても異なる引数を渡すものも異なるプログラムと表現する。例えば、どれもウェブブラウザを起動するがそれぞれ異なるＵＲＬを渡す、あるいはメッセージ表示プログラムでありながら、異なるメッセージを渡す、というものを含んでいる。
【００２３】
図１に戻り、プログラム群２２は、操作表示装置１が実行するプログラムが格納され、例えば、上述した属性１プログラム、属性２プログラム、及び指対応プログラム等を含んでいる。
【００２４】
端末連携プログラム２３は、通信制御部１０１と、検出部１０２と、判定部１０３と、起動部１０４とを含み、表示部１１に対する接触を検出した場合に、プログラム群２２に含まれているプログラムを起動させるための制御を行う。
【００２５】
通信制御部１０１は、携帯端末との間で通信を確立する。さらには、通信制御部１０１は、携帯端末から、当該携帯端末の属性が示された属性情報を受信する。さらには、通信制御部１０１は、当該携帯端末で生じた加速度を示した加速度検出信号を受信する。
【００２６】
検出部１０２は、位置取得ＩＦ部１６を介して、位置取得部１５から入力された検出信号に基づいて、表示部１１に対する接触を検出する。さらには、検出部１０２は、入力された検出信号に含まれている、接触が生じた表示部１１上の位置座標を取得する。
【００２７】
判定部１０３は、検出部１０２により接触が検出された時間と、通信制御部１０１が加速度検出信号を受信した時間と、に基づいて、表示部１１に接触した携帯端末を特定する。本実施形態では、判定部１０３が、検出部１０２により接触が検出された時間と、通信制御部１０１が加速度検出信号を受信した時間と、の時間差が所定の閾値以内の場合に、当該加速度検出信号の送信先の携帯端末を接触した端末として判定する。なお、閾値は実施の態様により定められるものとする。
【００２８】
さらに、判定部１０３は、特定された携帯端末の属性と、アイコンデータテーブル３００と、加速度検出信号に含まれている位置座標と、に基づいて起動するプログラムを特定する。これにより、携帯端末の属性に応じたプログラムの起動が可能となる。
【００２９】
起動部１０４は、判定部１０３により特定されたプログラムを起動する。例えば、携帯端末が属性１に対応するものであれば、属性１に対応するプログラムを起動させる。なお、携帯端末が接触した位置の位置座標と、アイコンに対応付けられた位置座標とは、必ずしも一致、もしくは重なっている必要はない。例えば、これらの位置座標が、所定値以内の距離に近接している場合に、起動部１０４が、アイコンに対応するプログラムを起動させてもよい。
【００３０】
図４は、第１の実施形態の携帯端末４００のハードウェア構成図である。図４に示されるように、携帯端末４００は、表示部４０１と、ＣＰＵ４０２と、表示コントローラ部４０３と、記憶部４０４と、位置取得部４０５と、位置取得ＩＦ（インターフェース）部４０６と、通信ＩＦ（インターフェース）部４０７と、加速度検出部４０８と、傾き検出部４０９とを備えている。
【００３１】
携帯端末４００が備える表示部４０１、ＣＰＵ４０２、表示コントローラ部４０３、位置取得部４０５、位置取得ＩＦ（インターフェース）部４０６、及び通信ＩＦ（インターフェース）部４０７は、操作表示装置１が備える表示部１１、ＣＰＵ１２、表示コントローラ部１３、位置取得部１５、位置取得ＩＦ（インターフェース）部１６、及び通信ＩＦ（インターフェース）部１７と同様の処理を行うものとして、説明を省略する。なお、本実施形態にかかる携帯端末４００の表示部は、操作表示装置１の表示部１１と比べて画面サイズが小さい例とする。
【００３２】
加速度検出部４０８は、携帯端末４００に設けられた加速度センサから加速度を検出し、加速度情報をＣＰＵ４０２に出力する。
【００３３】
傾き検出部４０９は、携帯端末４００に設けられた傾きセンサから傾きを検出し、傾き情報をＣＰＵ４０２に出力する。
【００３４】
記憶部４０４は、情報を記憶可能なＲＯＭ及びＲＡＭなどの記憶媒体で構成され、アイコン記憶部４１２と、プログラム群４１１と、表示連携プログラム４１３とを備えている。
【００３５】
アイコン記憶部４１２は、操作表示装置１のアイコン記憶部２１と同様に、ユーザインタフェイス画面上に表示するアイコン部の画像データ、アイコンが接触された場合に処理を行うプログラム、アイコン部の表示部４０１のユーザインタフェイスにおける表示位置を表す位置情報と、を対応付けて記憶している。
【００３６】
プログラム群４１１は、携帯端末４００でデータ（例えば動画データ、音声データ、写真データ）を再生、表示可能なプログラムを記憶する。
【００３７】
表示連携プログラム４１３は、制御部４２１と、通信制御部４２２とを備え、携帯端末４００に常駐し、操作表示装置１と連携するための制御を行う。
【００３８】
制御部４２１は、操作表示装置１にデータを送信する際に、プログラム群４１１で再生、表示されているデータを送信対象として設定する。
【００３９】
通信制御部４２２は、操作表示装置１との間で通信が確立した際に、携帯端末４００の属性を示した属性情報を送信する制御を行う。また、通信制御部４２２は、操作表示装置１に対してデータの送信制御を行う際に、制御部４２１により設定されたデータの送信制御を行う。
【００４０】
属性情報には、例えば、携帯端末の機種名、カメラなのかオーディオプレーヤーなのかなどの端末種類、設定されているデータの形式、端末の傾き検出部４０９で検出した傾き情報、端末認証情報を含んでいる。
【００４１】
図５は、本実施形態の操作表示装置１で端末連携プログラム２３実行時のユーザインタフェイス画面の例を示した図である。図５（ａ）に示されるように、操作表示装置１の表示部１１は、記憶部１４に記憶されている３つの動画データ、３つの音楽データ、及び２つの写真データが、それぞれ異なる種類のアイコンで表示している。さらに、表示部１１は、携帯端末側で選択されているデータをアップロードするアップロードアイコン３１を表示している。図５（ａ）では、携帯端末４００において、アップロードするデータ（例えば動画データ）の再生、表示可能なプログラムを起動し、当該データの選択がなされているものとする。
【００４２】
複数の携帯端末４００、４５０のうち、表示部１１のユーザインタフェイス画面に対して携帯端末４００で接触する場合について説明する。本実施形態にかかる操作表示装置１は、携帯端末４００を連携する端末として特定し、設定された動画データのアップロードが行われる。その際に行われる動作について説明する。
【００４３】
図６は、操作表示装置１と携帯端末４００との連携処理が行われる際のタイミングチャートを示した図である。
【００４４】
携帯端末４００、４５０は、操作表示装置１に近づくことで、通信を開始する。本実施形態では、無線ＬＡＮで通信が行われる例とする。携帯端末４００、４５０は、操作表示装置１と同じＬＡＮの圏内に入ることでＩＰアドレスを取得する。
【００４５】
操作表示装置１は、複数の携帯端末４００、４５０のそれぞれから、その端末属性を示した属性情報を受信する（ステップＳ６０１、Ｓ６０２）。
【００４６】
図５（ｂ）の例では、第１携帯端末４００が、表示部１１のアップロードアイコン３１上に置かれ、第２携帯端末４５０がどの操作表示装置１の表示部１１から離れた位置に存在した状態を示している。なお、第２携帯端末４５０は、操作表示装置１と通信可能であるが、操作表示装置１付近になく、例えば他の人のカバンの中に入った状態でも良い。この場合、操作表示装置１は、第１携帯端末４００、第２携帯端末４５０の双方の携帯端末の属性情報を受信する。
【００４７】
図６に戻り、本実施形態にかかる第１携帯端末４００、第２携帯端末４５０による属性情報の送信は、第１携帯端末携帯端末４００、第２携帯端末４５０の設定が変更される毎（例えば設定されているデータが変更される毎）に行う（例えばステップＳ６０３）。なお、本実施形態は属性情報の送信のタイミングを制限するものではなく、例えば、操作表示装置１と定期的に属性情報の送信を行っても良い。
【００４８】
また、操作表示装置１が第１携帯端末４００、第２携帯端末４５０の属性情報を受信した後、適切に属性情報を取得した旨のレスポンスを第１携帯端末４００、第２携帯端末４５０が受信した場合に、第１携帯端末４００、第２携帯端末４５０が、当該端末が有する画面に操作表示装置１との相互動作が可能になった旨のメッセージを表示してもよい。
【００４９】
第１携帯端末４００が、アップロードアイコン３１上に置かれた瞬間、第１携帯端末４００の通信制御部４２２は、加速度検出部４０８が検出した加速度情報を、加速度検出信号として操作表示装置１に送信する（ステップＳ６０４）。
【００５０】
一方、操作表示装置１の検出部１０２は、位置取得部１５から送信された検出信号（位置座標含む）により、アップロードアイコン３１付近に物体が接触もしくは非常に近い位置に接触したことを検出する。
【００５１】
そして、判定部１０３が、検出信号を受信した時間と、第１携帯端末４００から加速度検出信号を受信した時間とが非常に近い場合（所定の閾値以内の場合）に、加速度検出信号を送信した第１携帯端末４００が表示部１１に接触したと判定し、当該第１携帯端末４００を連携対象として特定する。
【００５２】
そして、判定部１０３は、アイコンデータテーブル３００を参照し、アップロードアイコン３１に関連付けられた複数のプログラムのうち、第１携帯端末４００の属性に基づいて、実行するプログラムを特定する。
【００５３】
そして、起動部１０４が判定部１０３により特定されたプログラムを起動する。そして、起動したプログラムは、通信ＩＦ部１７を介して、第１携帯端末４００との間でデータの送受信を行う。
【００５４】
当該プログラムの実行の際に、受信した加速度検出信号で示される加速度の値の大きさに応じて、プログラムの動作、あるいはプログラム自体の切り替えを行って動作してもよい。例えば、携帯端末４００がそっと表示部１１に置かれ、加速度の値が小さい場合、転送データの速度を１Ｍｂｉｔ／ｓｅｃとし、携帯端末４００を強く表示部１１にあて、より大きな加速度の値の場合、１Ｍｂｉｔ／ｓｅｃより速い速度でデータの送受信を行う。
【００５５】
また、さらに強く表示部１１にあて、非常に大きな加速度の値の場合、起動部１０４は、起動させるプログラムを切り替えて、データ転送を行なわずに「故障の元になりますのでもっと静かに接触させてください」などのメッセージを表示するプログラムを起動してもよい。
【００５６】
この後、携帯端末４５０がアップロードアイコン３１上に置かれた場合に、検出部１０２が、位置取得部１５を介して検出信号（位置座標を含む）を受信することで、当該携帯端末４００の接触を検出する。さらに、検出部１０２は、接触した位置座標を取得する。そして、通信制御部１０１が、携帯端末４５０から加速度検出信号を受信する。そして、判定部１０３が、アップロードアイコン３１に接触した携帯端末４５０を特定し、携帯端末４００が接触した時と同様の処理を行う。
【００５７】
図７は、検出信号を受信した時間に対して、第１携帯端末４００から受信した加速度検出信号の時間、及び第２携帯端末４５０から受信した加速度検出信号の時間が非常に近い（所定の閾値以内）場合を示した図である。図７に示す例では、図６に示す例と同様に通信が開始され、属性情報の送信（ステップＳ７０１、Ｓ７０２、Ｓ７０３）が行われているものとする。
【００５８】
その後、操作表示装置１の通信制御部１０１が、第１携帯端末４００からの加速度検出信号と、第２携帯端末４５０からの加速度検出信号とが、ほぼ同じタイミングで受信した（ステップＳ７０４、Ｓ７０５）ものとする。換言すれば、検出部１０２が接触を検知してから所定の閾値以内に、第１携帯端末４００及び第２携帯端末４５０から加速度検出信号を受信している。
【００５９】
例えば、携帯端末４００が操作表示装置１の表示部１１にタッチしたタイミングと、カバンに入った状態の携帯端末４５０が、カバンごとどこかに衝突し、加速度を発生したタイミングと、がほぼ一致した場合が考えられる。さらには、第２携帯端末４５０で第１携帯端末４００と全く別の操作を行っていて、第２携帯端末４５０の画面をユーザが強くたたいたタイミングが、第１携帯端末４００が操作表示装置１の表示部１１にタッチしたタイミングと一致した等もあり得る。
【００６０】
このように、判定部１０３が接触した端末を複数特定した場合に、誤った端末にデータの送受信制御を行うことを抑止するために、特定した複数の携帯端末４００、４５０とデータの送受信を行わず、画面上に「もう一度タッチしなおしてください」などのメッセージを表示し、再度、端末の接触を促すことが考えられる。これにより、ユーザが所望する携帯端末との間でデータの送受信を実現できる。
【００６１】
また、判定部１０３が接触した端末を複数特定した場合に、再度接触を促すことに制限するものではなく、両方とも接触したものとみなして、両方の携帯端末に対して、対応するプログラムを実行してもよい。このように実施態様に応じて動作を決定する。
【００６２】
図５（ｃ）は、アップロードが終了した後の画面例を示している。図５（ｃ）に示す画面例では、第１携帯端末４００から操作表示装置１に送信されたデータを示すアイコン３２がアップロードアイコン３１の隣に追加表示されている。起動部１０４により起動されたプログラムは、アップロードされたデータの種別を判定し、当該データが動画、音楽、及び写真のいずれかを判別して、適切なアイコンを付与する。また、データの種別に応じて、記憶するデータフォルダを映像や音楽などの専用フォルダに記憶先を指定してもよい。
【００６３】
なお、この際のデータを転送する際のユーザインタフェイス画面の一例として例えば図８のような態様がある。図８は、第１携帯端末４００を表示部１１に接触した場合に表示される画面例の遷移を示している。図８（ａ）に示されるように、第１携帯端末４００に記憶されている写真データは第１携帯端末４００の画面上にアイコンなどの形で表示されており、第１携帯端末４００が操作表示装置１の表示部１１に触れた際に、データ転送が開始される。
【００６４】
次に、図８（ｂ）〜（ｄ）に示されるように、データの転送の進行度合い、具体的にはデータの総容量に対して転送完了したデータ量や未転送のデータ量に応じた割合に相当するアイコンの一部が第１携帯端末４００の画面に、他の部分が表示部１１にそれぞれ表示される。データ転送中に操作表示装置１の表示部１１に表示されるアイコンの位置は、位置取得部１５によって取得された第１携帯端末４００の位置座標に基づいて決定される。そして表示部１１は、第１携帯端末４００の表示画面が表示するアイコンと表示部１１が表示するアイコンとが合わせて１つのアイコンに見えるようにアイコンを表示する。そして、図６（ｅ）に示されるように、表示部１１は、データの転送完了時に、アップロードアイコン３１の隣の位置にデータのアイコン３２を表示する。そしてプログラムは、データの種別を判定し、データが動画、音楽、及び写真の何れであるかに応じた位置にアイコンを表示し、データ転送に係る処理は終了する。
【００６５】
このように、端末連携プログラム２３は、第１携帯端末４００からのデータ転送の経過、換言すれば、データが第１携帯端末４００から操作表示装置１に送信される状況を、データのアイコン３２が表示部１１に入って行くかのように、表示部１１を表示制御する。これにより、ユーザは、送信状況を認識できる。
【００６６】
なお、端末連携プログラム２３は、第１携帯端末４００が表示部１１に接触したことを検出した場合に、すぐにデータ転送を開始するのではなく、第１携帯端末４００に確認のダイアログを表示し、ユーザに動作の確認を求めてもよい。これにより、第１携帯端末４００が接触したか否かの判定を誤った時にユーザの意思に反したデータ転送を抑止できる。
【００６７】
操作表示装置１が第１携帯端末４００に対してデータ送信をする場合、第１携帯端末４００の表示連携プログラム４１３が、データの総容量に対して転送完了したデータ量や転送済のデータ量に応じた割合に相当するアイコンの一部領域を表示部４０１の画面に表示する。一方、操作表示装置１の表示部１１は、位置取得部１５が取得した位置座標に基づき、データの総容量に対して未転送のデータ量の割合に相当するアイコンの残りの一部領域（携帯端末に表示されていない領域）を表示する。
【００６８】
また、操作表示装置１が、第１携帯端末４００の画面の画素密度あるいは解像度と画面サイズの情報を受信し、本装置にてアイコンのサイズを調整して表示してもよい。一方、操作表示装置１が、本装置の画素密度あるいは解像度と画面サイズの情報を携帯端末に送信した際に、第１携帯端末４００がアイコンのサイズを調整して表示してもよい。これにより、第１携帯端末４００及び操作表示装置１上で、アイコンを同一、又はほぼ同一サイズで表示できる。
【００６９】
また、操作表示装置１は、第１携帯端末４００の向きに関する情報を取得し、当該情報で示される向きに応じたアイコンを表示しても良い。これらの処理は、例えば図５（ｂ）に係る処理で行っても良い。即ち、第１携帯端末４００がアップロードアイコン３１上に置かれてデータ転送が開始された場合に、第１携帯端末４００と操作表示装置１とが、アイコンを同一あるいはほぼ同一サイズで表示してもよい。
【００７０】
また、表示部１１に対する接触を検出したにもかかわらず、第１携帯端末４００からの加速度検出信号を受信していない場合は、判定部１０３は、アイコンには携帯端末以外（例えば手、指）で触ったものと判定し、そのアイコンが示しているデータ（例えば、動画データ、又は写真データ）の再生、表示を表示部１１上で行う。
【００７１】
また、データ転送の途中で第１携帯端末４００が表示部１１から離れた場合、操作表示装置１及び第１携帯端末４００の間のデータ転送を中止する。このように、ユーザは特段のキャンセルのための操作をせずに、直感的にデータ転送の中止を指示できる。また表示部１１は、転送の開始前、あるいは転送中に、例えば図８（ａ）及び（ｂ）のような「転送ロック」「転送中断」のダイアログを表示してもよい。操作表示装置１が、当該ダイアログに対する選択を受け付けていない場合、転送を開始した後に、第１携帯端末４００を表示部１１から離すことでデータ転送が中止される。一方、「転送ロック」の選択を受け付けている場合、第１携帯端末４００が表示部１１から離れてもデータ転送が継続される。これにより、ユーザがデータ転送中の間、継続して第１携帯端末４００を表示部１１に触れ続けさせる必要がなくなる。
【００７２】
また、操作表示装置１が「転送中断」の選択を受け付けた場合に、操作表示装置１及び第１携帯端末４００の間のデータ転送が中断される。つまり、「転送ロック」の選択を受け付けた場合、第１携帯端末４００を表示部１１から離しただけではデータ転送は中止されないが、ユーザから「転送中断」の選択を受け付けた場合には、データ転送を中断できる。これにより、ユーザが、「転送ロック」を選択したにも拘わらず、やはりデータ転送を中断したいと考えた時に、「転送中断」を選択することで、データ転送を中断できる。
【００７３】
次に、本実施形態にかかる操作表示装置１における、プログラムを特定して、通信を開始するまでの処理について説明する。図９は、本実施形態にかかる操作表示装置１における上述した処理の手順を示すフローチャートである。
【００７４】
通信ＩＦ部１７は、通信可能な携帯端末があるか否かを検出する（ステップＳ９０１）。検出しなかった場合は（ステップＳ９０１：Ｎｏ）、通信可能な携帯端末を検出するまで継続して行う。一方、通信ＩＦ部１７が、通信可能な携帯端末を検出した場合（ステップＳ９０１：Ｙｅｓ）、検出した携帯端末の各々と通信を開始する。そして、通信ＩＦ部１７を介して、端末連携プログラム２３の判定部１０３が、携帯端末各々の属性情報を取得する（ステップＳ９０２）。
【００７５】
その後、検出部１０２が、位置取得部１５からの検出信号に基づいて、表示部１１に対する接触が生じたか否かを判定する（ステップＳ９０３）。検出部１０２が、表示部１１に対する接触が生じたと判定した場合（ステップＳ９０３：Ｙｅｓ）、検出部１０２は、検出信号に含まれている、接触が生じた位置座標を取得する（ステップＳ９０４）。一方、表示部１１に対する接触が生じたと判定されなかった場合（ステップＳ９０３：Ｎｏ）、ステップＳ９０３の処理が繰り返される。
【００７６】
次に、通信制御部１０１が、通信ＩＦ部１７を介して、携帯端末から加速度検出信号を受信したか否かを判定する（ステップＳ９０５）。加速度検出信号を受信していない場合（ステップＳ９０５：Ｎｏ）、携帯端末が接触したのではなく、人の指などが接触したものと見なして、位置座標に示される位置に携帯端末で接触した場合に対応する処理（プログラム）を特定する（ステップＳ９０９）。そして、起動部１０４が、特定した処理（プログラム）を実行する（ステップＳ９１０）。特定した処理としては、例えば、接触した位置に存在するアイコンで対応付けられたデータ（動画データ、音楽データ、写真データ）の再生、表示等とする。このように、表示部１１に接触したのが携帯端末ではなく、指であると判断された場合は、転送する代わりに、表示部１１にデータを再生してもよい。
【００７７】
一方、通信制御部１０１が、加速度検出信号を受信した場合（ステップＳ９０５：Ｙｅｓ）、判定部１０３が、検出信号に基づく接触を検出した時間と、加速度検出信号に基づく携帯端末で加速度が生じた時間と、が所定の閾値以内、換言すれば発生タイミングが近いか否かを判定する（ステップＳ９０６）。所定の閾値以内でないと判定した場合（ステップＳ９０６：Ｎｏ）、ステップＳ９０９から処理を行う。
【００７８】
一方、判定部１０３が所定の閾値以内と判定した場合（ステップＳ９０６：Ｙｅｓ）、判定に用いられた加速度検出信号を送信してきた携帯端末が接触したものとして、データの送受信対象の携帯端末を特定する（ステップＳ９０７）。
【００７９】
そして、判定部１０３が、接触が生じた位置座標と、特定された携帯端末の属性情報と、に対応するプログラムを特定し、起動部１０４が特定したプログラムを起動させ、操作表示装置１と携帯端末との間で通信が開始される（ステップＳ９０８）。
【００８０】
そして、ステップＳ９０８において、携帯端末の属性情報に応じた処理が行われる。この際に、携帯端末の属性情報を再び取得しても良い。次に、本実施形態にかかるステップＳ９０８で示した、プログラムを特定し、通信を開始させるまでの処理について説明する。図１０は、本実施形態にかかる操作表示装置１における上述した処理の手順を示すフローチャートである。
【００８１】
まずは、判定部１０３が、データの送受信対象として特定された携帯端末の属性情報を取得する（ステップＳ１００１）。属性情報に含まれている情報としては、例えば対応可能なデータ形式、表示画面サイズ、実行可能な機能、及び通信方式等とする。取得された携帯端末の属性は記憶される。なお、判定部１０３は、属性情報を、例えば通信ＩＦ部１７からネットワーク（インターネット含む）を通じて取得してもよいし、操作表示装置１に予めデータベースとして記憶させてもよい。
【００８２】
次に、判定部１０３、及び起動部１０４が、接触した位置座標に存在する（または接触した位置の近傍に存在する）アイコンが動画に関連している場合の処理を行う（ステップＳ１００２）。例えば、動画ファイルを携帯端末に転送するプログラムを起動させる場合、携帯端末の画面サイズが１９２０×１０８０であるか、６４０×４８０であるかといった属性に応じて、動画の解像度を転送先の携帯端末の画面サイズに応じたサイズへと変換した後に、転送が行われる。
【００８３】
そして、判定部１０３、及び起動部１０４が、接触した位置に存在する（または接触した位置の近傍に存在する）アイコンが音楽に関連している場合の処理を行う（ステップＳ１００３）。例えば音楽のファイルを携帯端末に転送するプログラムを起動させる場合、ＭＰ３の再生が可能な携帯端末であるか、ＡＡＣの再生が可能な端末であるかといった属性情報に基づいて、音楽ファイルを携帯端末に対応するファイル形式に変換する処理が行われる。
【００８４】
次に、判定部１０３、及び起動部１０４が、接触した位置に存在する（または接触した位置の近傍に存在する）アイコンが写真に関連している場合の処理を行う（ステップＳ１００４）。
【００８５】
そして、判定部１０３、及び起動部１０４が、接触した位置に存在する（または接触した位置の近傍に存在する）アイコンがアップロードに関連している場合の処理を行う（ステップＳ１００５）。
【００８６】
上述したように、携帯端末により接触があった場合、データ形式に応じた変換処理を行った後に、転送が行われる。また、転送先の携帯端末が無線ＬＡＮによる通信が可能か、Bluetooth（登録商標）による通信が可能かといった属性に基づき、データを転送する際の通信手段を変更してもよい。また、データを転送する際には、携帯端末の全体のサイズを示すサイズ情報を取得し、取得した携帯端末のサイズ情報に基づき、表示部１１上に携帯端末に相当する端末の形状の画像を描画し、描画された携帯端末の画像と、他のユーザインタフェイスとの間でデータ転送が実行されている経路が表示されることで、ユーザに対して視覚的にデータを転送中であることを知覚させてもよい。
【００８７】
次に、ステップＳ１００２の具体的な処理を説明する。図１１は、本実施形態にかかる操作表示装置１における、接触したアイコンが動画に関連する場合の処理の手順を示すフローチャートである。
【００８８】
まず、判定部１０３が、検出信号に含まれる位置座標から、接触した位置に存在するアイコンが、ファイルVideo1に対応しているか否かを判定する（ステップＳ１１０１）。ファイルVideo1に対応していると判定した場合（ステップＳ１１０１：Ｙｅｓ）、判定部１０３は、処理対象をファイルVideo1に設定する（ステップＳ１１０２）。その後、ステップＳ１１０７の処理に進む。
【００８９】
一方、判定部１０３が、接触した位置に存在するアイコンが、ファイルVideo1に対応していないと判定した場合（ステップＳ１１０１：Ｎｏ）、接触した位置に存在するアイコンが、ファイルVideo2に対応しているか否かを判定する（ステップＳ１１０３）。ファイルVideo2に対応していると判定した場合（ステップＳ１１０３：Ｙｅｓ）、判定部１０３は、処理対象をファイルVideo2に設定する（ステップＳ１１０４）。その後、ステップＳ１１０７の処理に進む。
【００９０】
一方、判定部１０３が、接触した位置に存在するアイコンが、ファイルVideo2に対応していないと判定した場合（ステップＳ１１０３：Ｎｏ）、接触した位置に存在するアイコンが、ファイルVideo3に対応しているか否かを判定する（ステップＳ１１０５）。ファイルVideo3に対応していると判定した場合（ステップＳ１１０５：Ｙｅｓ）、判定部１０３は、処理対象をファイルVideo3に設定する（ステップＳ１１０６）。その後、ステップＳ１１０７の処理に進む。ファイルVideo3に対応していないと判定した場合（ステップＳ１１０５：Ｎｏ）、動画に関する処理は特に行わないものとする。
【００９１】
ステップＳ１１０２、Ｓ１１０４又はＳ１１０６の後、判定部１０３が、取得した属性情報に基づいて、動画データの送信先となる携帯端末の表示サイズ1920×1080について再生可能か否かを判定する（ステップＳ１１０７）。例えば、携帯端末の画面サイズとしては、1920×1080と、640×480との２種類あるものとする。
【００９２】
判定部１０３が、携帯端末が表示サイズ1920×1080を再生可能と判定した場合（ステップＳ１１０７：Ｙｅｓ）、動画データをそのまま送信すれば良いため、ステップＳ１１０９に進む。判定部１０３が、携帯端末が表示サイズ1920×1080を再生できないと判定した場合（ステップＳ１１０７：Ｎｏ）、起動部１０４が、動画データを縮小させる縮小プログラムを起動し、当該縮小プログラムが、動画データを640×480への縮小処理を行う（ステップＳ１１０８）。
【００９３】
ステップＳ１１０７、Ｓ１１０８の後、起動部１０４が、動画データを転送させる動画転送プログラムを起動し、当該動画転送プログラムが、処理対象として設定されたファイルの転送を開始する（ステップＳ１１０９）。
【００９４】
次に、図１０のステップＳ１００３の具体的な処理を説明する。図１２は、本実施形態にかかる操作表示装置１における、接触したアイコンが音楽に関連する場合の処理の手順を示すフローチャートである。
【００９５】
まず、判定部１０３が、検出信号に含まれる位置座標から、接触した位置に存在するアイコンが、ファイルAudio1に対応しているか否かを判定する（ステップＳ１２０１）。ファイルAudio1に対応していると判定した場合（ステップＳ１２０１：Ｙｅｓ）、判定部１０３は、処理対象をファイルAudio1に設定する（ステップＳ１２０２）。その後、ステップＳ１２０７の処理に進む。
【００９６】
一方、判定部１０３が、接触した位置に存在するアイコンが、ファイルAudio1に対応していないと判定した場合（ステップＳ１２０１：Ｎｏ）、接触した位置に存在するアイコンが、ファイルAudio2に対応しているか否かを判定する（ステップＳ１２０３）。ファイルAudio2に対応していると判定した場合（ステップＳ１２０３：Ｙｅｓ）、判定部１０３は、処理対象をファイルAudio2に設定する（ステップＳ１２０４）。その後、ステップＳ１２０７の処理に進む。
【００９７】
一方、判定部１０３が、接触した位置に存在するアイコンが、ファイルAudio2に対応していないと判定した場合（ステップＳ１２０３：Ｎｏ）、接触した位置に存在するアイコンが、ファイルAudio3に対応しているか否かを判定する（ステップＳ１２０５）。ファイルAudio3に対応していると判定した場合（ステップＳ１２０５：Ｙｅｓ）、判定部１０３は、処理対象をファイルAudio3に設定する（ステップＳ１２０６）。その後、ステップＳ１２０７の処理に進む。ファイルAudio3に対応していないと判定した場合（ステップＳ１２０５：Ｎｏ）、音楽に関する処理は特に行わないものとする。
【００９８】
ステップＳ１２０２、Ｓ１２０４、又はＳ１２０６の後、判定部１０３が、取得した属性情報に基づいて、第１のデータ形式（例えば、ＡＡＣ）でのみ再生可能か否かを判定する（ステップＳ１２０７）。音楽データのデータ形式は複数種類（例えばＡＡＣ、ＭＰ３）存在するものとする。
【００９９】
判定部１０３が、第１のデータ形式以外でも再生可能と判定した場合（ステップＳ１２０７：Ｎｏ）、音楽データをそのまま送信すれば良いため、ステップＳ１２０９に進む。判定部１０３が、携帯端末が第１のデータ形式でのみ再生可能と判定した場合（ステップＳ１２０７：Ｙｅｓ）、起動部１０４が、音楽データのデータ形式を第１のデータ形式に変換させる変換プログラムを起動し、当該変換プログラムが、音楽データを第１のデータ形式に変換処理を行う（ステップＳ１２０８）。
【０１００】
ステップＳ１２０７、Ｓ１２０８の後、起動部１０４が、音楽データを転送させる音楽転送プログラムを起動し、当該音楽転送プログラムが、携帯端末に対して転送の要求を行う（ステップＳ１２０９）。その後、音楽転送プログラムが、処理対象として設定されたファイルの転送を開始する（ステップＳ１２１０）。
【０１０１】
次に、図１０のステップＳ１００４の具体的な処理を説明する。図１３は、本実施形態にかかる操作表示装置１における、接触したアイコンが写真に関連する場合の処理の手順を示すフローチャートである。
【０１０２】
まず、判定部１０３が、検出信号に含まれる位置座標から、接触した位置に存在するアイコンが、ファイルPhoto1に対応しているか否かを判定する（ステップＳ１３０１）。ファイルPhoto1に対応していると判定した場合（ステップＳ１３０１：Ｙｅｓ）、判定部１０３は、処理対象をファイルPhoto1に設定する（ステップＳ１３０２）。その後、ステップＳ１３０５の処理に進む。
【０１０３】
一方、判定部１０３が、接触した位置に存在するアイコンが、ファイルPhoto1に対応していないと判定した場合（ステップＳ１３０１：Ｎｏ）、接触した位置に存在するアイコンが、ファイルPhoto2に対応しているか否かを判定する（ステップＳ１３０３）。ファイルPhoto2に対応していると判定した場合（ステップＳ１３０３：Ｙｅｓ）、判定部１０３は、処理対象をファイルPhoto2に設定する（ステップＳ１３０４）。その後、ステップＳ１３０５の処理に進む。ファイルPhoto2に対応していないと判定した場合（ステップＳ１３０３：Ｎｏ）、音楽に関する処理は特に行わないものとする。
【０１０４】
ステップＳ１３０２、又はＳ１３０４の後、判定部１０３が、取得した属性情報に基づいて、携帯端末の通信方式が無線ＬＡＮであるか否かを判定する（ステップＳ１３０５）。本実施形態では通信方式として、無線ＬＡＮとBluetooth（登録商標）の２種類から選択されるものとする。
【０１０５】
判定部１０３が、無線ＬＡＮで通信可能と判定した場合（ステップＳ１３０５：Ｙｅｓ）、伝送路を無線ＬＡＮに設定する（ステップＳ１３０６）。一方、判定部１０３が、無線ＬＡＮで通信できないと判定した場合（ステップＳ１３０５：Ｎｏ）、伝送路をBluetooth（登録商標）に設定する（ステップＳ１３０７）。
【０１０６】
そして、起動部１０４が、写真データを転送する写真転送プログラムを起動し、当該転送プログラムが、写真データの転送の開始要求を携帯端末に要求する（ステップＳ１３０８）。そして、写真転送プログラムが、処理対象として設定されたファイル（写真データ）の転送を開始する（ステップＳ１３０９）。
【０１０７】
次に、図１０のステップＳ１００５の具体的な処理を説明する。図１４は、本実施形態にかかる操作表示装置１における、接触したアイコンがアップロードに関連する場合の処理の手順を示すフローチャートである。
【０１０８】
まず、判定部１０３が、検出信号に含まれる位置座標から、接触した位置に存在するアイコンが、アップロードか否かを判定する（ステップＳ１４０１）。アップロードではないと判定した場合（ステップＳ１４０１：Ｎｏ）、処理を終了する。
【０１０９】
一方、接触した位置に存在するアイコンが、アップロードと判定した場合（ステップＳ１４０１：Ｙｅｓ）、通信制御部１０１が、携帯端末側で送信対象として設定されているデータの種類を問い合わせる（ステップＳ１４０２）。
【０１１０】
そして、判定部１０３が、通信制御部１０１が受信した問い合わせ結果に基づいて、携帯端末側で転送データの設定があるか否かを判定する（ステップＳ１４０３）。設定がないと判定した場合（ステップＳ１４０３：Ｎｏ）、起動部１０４が、メッセージの表示を行うためのプログラムを起動し、当該プログラムが、例えば「このアイコンにはデータ転送したいデバイスでデータを選択した後にタッチして下さい」等の選択メッセージを表示部１１に表示する（ステップＳ１４０４）。その後、ステップＳ１４０２の処理に進む。
【０１１１】
一方、判定部１０３が、転送データがあると判定した場合（ステップＳ１４０３：Ｙｅｓ）、設定された転送データが動画データであるか否かを判定する（ステップＳ１４０５）。動画データであると判定した場合（ステップＳ１４０５：Ｙｅｓ）、動画転送プログラムを起動し、当該動画転送プログラムが、動画データフォルダを転送先に指定し（ステップＳ１４０６）、ステップＳ１４１３の処理に進む。
【０１１２】
一方、判定部１０３が、動画データでないと判定した場合（ステップＳ１４０５：Ｎｏ）、設定された転送データが音楽データであるか否かを判定する（ステップＳ１４０７）。音楽データであると判定した場合（ステップＳ１４０７：Ｙｅｓ）、音楽転送プログラムを起動し、当該音楽転送プログラムが、音楽データフォルダを転送先に指定し（ステップＳ１４０８）、ステップＳ１４１３の処理に進む。
【０１１３】
一方、判定部１０３が、音楽データでないと判定した場合（ステップＳ１４０７：Ｎｏ）、設定された転送データが写真データであるか否かを判定する（ステップＳ１４０９）。写真データであると判定した場合（ステップＳ１４０９：Ｙｅｓ）、写真転送プログラムを起動し、当該写真転送プログラムが、写真データフォルダ用に、写真データの撮影日付を取得する（ステップＳ１４１０）。その後、写真転送プログラムが、取得した日付フォルダを転送先に指定し（ステップＳ１４１１）、ステップＳ１４１３の処理に進む。
【０１１４】
一方、判定部１０３が、写真データでないと判定した場合（ステップＳ１４０９：Ｎｏ）、転送プログラムを起動し、当該転送プログラムが、その他のデータフォルダを転送先に指定し（ステップＳ１４１２）、ステップＳ１４１３の処理に進む。
【０１１５】
その後、起動された各種転送プログラムは、データ転送確認画面を表示する（ステップＳ１４１３）。そして、当該各種転送プログラムが、「ＯＫ」の選択を受け付けたか否かを判定する（ステップＳ１４１４）。「ＯＫ」の選択を受け付なかった場合（ステップＳ１４１４：Ｎｏ）、処理を終了する。
【０１１６】
一方、各種転送プログラムが、「ＯＫ」の選択を受け付けた場合に、携帯端末との間でデータの転送を開始する（ステップＳ１４１５）。
【０１１７】
上述した処理手順により、データの転送が可能となる。上述した処理の説明では、起動するプログラムが転送プログラムの場合について説明した。しかしながら、起動するプログラムを、転送プログラムに制限するものではない。例えば、他の起動されるプログラムとして、電子決済用のプログラムを用いても良い。
【０１１８】
図１５は、ある商品を購入しようとした場合に表示される決済用画面４０の例を示した図である。決済用画面４０は、購入した商品の情報や決済に使用するカードの情報を表示する購入情報表示部４１、接触部４２、ＯＫボタン４３、及びＮＧボタン４４を含んでいる。接触部４２は、利用者が接触部４２に決済に利用するカードや決済機能を有する携帯端末を接触させる部位である。
【０１１９】
判定部１０３は、位置取得部１５が取得した位置座標から、接触部４２、ＯＫボタン４３、及びＮＧボタン４４のいずれの位置で接触を生じたかを判定する。接触部４２に接触があったと判定した場合、上述した処理と同様の手順で起動した電子決済用のプログラムが、加速度検出信号を送信してきた携帯端末から決済情報を取得する。一方、加速度検出信号が検出されていない場合は、「決済を行う携帯端末でタッチしてください」などのメッセージが表示される。
【０１２０】
また、判定部１０３が、ＯＫボタン４３に接触があったと判定した場合、起動した電子決済用のプログラムに、取得済みの決済情報を受け渡し、電子決済用のプログラムに決済を指示する。また、判定部１０３が、ＮＧボタン４４に接触があったと判定した場合、取得済みの決済情報を消去する。また、決済時に携帯端末に対して、商品クーポンなどを転送するようにしてもよい。この処理は、上述した音楽や映像データの転送処理と同じ流れによって行うことができる。
【０１２１】
以上に示した本実施形態の操作表示装置１においては、携帯端末による表示部１１のアイコンへの接触があった場合に、接触のあったタイミングに近いタイミングで携帯端末の加速度検出信号を得ることでアイコンと対応付けられたプログラムが起動されることとした。そのため、複数の携帯端末が操作表示装置１に接近していると検出されている場合であっても、ユーザが意図する携帯端末との間においてプログラムを起動することができるようになるため、意図しない携帯端末との間でデータが転送されるといった問題が発生することを防ぐことができ、ユーザの利便性を向上させることができるようになる。
【０１２２】
また、起動するプログラムに対して適切な携帯端末の属性情報を渡すことで、プログラムは携帯端末に応じてプログラムを実行することができ、利便性を向上させることができる。
【０１２３】
（第１の実施形態の変形例１）
第１の実施形態では、携帯端末と接触したアイコンに応じて、データの送信又は受信が決定される例について説明した。しかしながら、送信及び受信をアイコンに応じて決定することに制限するものではない。例えば、携帯端末に設定された動作モードに応じて送信又は受信を決定しても良い。当該動作モードは、属性情報に含まれた上で、携帯端末から、操作表示装置１に送信される。
【０１２４】
動作モードは、携帯端末がデータを再生する再生モード、データを送信するデータ送信モード、又はデータ受信モード等とする。
【０１２５】
図１６は、第１の実施形態の変形例１の操作表示装置１で端末連携プログラム２３実行時のユーザインタフェイス画面の例を示した図である。図１６に示されるように、ユーザインタフェイス画面では、データの送受信先となるフォルダが表示されている。そして、携帯端末４００では、動作モードとして、データ送信モードが設定されている他、送信対象となるフォルダ又はデータが設定されているものとする。そして、携帯端末４００で、データの送信先となるフォルダ１６０１と接触することで、フォルダ間のデータの送受信が行われる。その際の処理手順は第１の実施形態と同様として説明を省略する。
【０１２６】
また、動作モードの利用手法としては、変形例の手法に制限するものではなく、第１の実施形態のアイコンの指定による送受信と、動作モードによる送受信とを組み合わせても良い。この場合、アップロードアイコンに携帯端末４００を接触させたにも拘わらず、携帯端末４００がデータ受信モードになっている場合、携帯端末４００の情報を得た操作表示装置１は「携帯端末はデータを転送できない状態です」などのメッセージを表示するなど、携帯端末の動作モードに応じて起動するプログラムを変更してもよい。
【０１２７】
（第１の実施形態の変形例２）
上述した実施形態は、送受信の対象となるフォルダを、通常のフォルダに制限するものではなく、アクセスが制限されたプライベートフォルダであっても良い。
【０１２８】
図１７は、第１の実施形態の変形例２にかかる操作表示装置１の記憶部１４に格納されているデータにアクセスする際にアクセス制限を解除する場合のユーザインタフェイス画面の例を示した図である。記憶部１４に格納されているデータはフォルダ構造の形式で格納されており、だれでもアクセスしてよいとされるデータはパブリックフォルダに、特定の人だけがアクセスしてよいとされるデータはプライベートフォルダに格納されている。
【０１２９】
本変形例においては、携帯端末４００によって、プライベートフォルダ１７０１へのアクセス制限を解除できる。パブリックフォルダ１７０２は鍵なしのアイコンで表示され、プライベートフォルダ１７０１は鍵付のアイコンで表示される。鍵付アイコンに特定の携帯端末をタッチすると、位置取得部１５がまず操作表示装置１の表示部１１における携帯端末４００により接触のあったプライベートフォルダ１７０１の表示位置の位置座標を取得する。また、加速度検出信号を送信した携帯端末４００を検出し、携帯端末４００の鍵情報を取得する。そして、判定部１０３が取得した鍵情報に基づいてアクセスを解除しても良いか否かを判定し、判定結果に応じてプライベートフォルダ１７０１のアクセス制御を解除する。
【０１３０】
なお、第１の実施形態において示したプログラムは、操作表示装置１において実行可能なプログラムの例を示したものであり、他のプログラムの実施にも適用することは可能である。
【０１３１】
以下、図１８に基づき、携帯端末による鍵の解除の処理の流れを説明する。図１８に示されるように、まず、検出部１０２が、位置取得部１５から取得した検出信号から、表示部１１で携帯端末４００が接触した位置の位置座標を取得する（ステップＳ１８０１）。次に、判定部１０３が、取得された位置座標がプライベートフォルダ１７０１の位置か否かを判定する（ステップＳ１８０２）。プライベートフォルダ１７０１の位置であると判定された場合（ステップＳ１８０２：Ｙｅｓ）、判定部１０３は、携帯端末４００にプライベートフォルダ１７０１の鍵情報があるかを問い合わせる（ステップＳ１８０３）。鍵情報としては、データの読み出しのみを許可するものと、読み出し、及び書き込みの両方を許可するものの２種類が存在するようにしてもよい。一方、判定部１０３が、プライベートフォルダ１７０１の位置でないと判定された場合（ステップＳ１８０２：Ｎｏ）、処理を終了し、他の該当するプログラムが起動される、又はなにも行われない。
【０１３２】
次に、判定部１０３が、問い合わせ結果から、携帯端末４００に鍵情報があるか否かを判定する（ステップＳ１８０４）。鍵情報があると判定した場合（ステップＳ１８０４：Ｙｅｓ）、「鍵が合いました」というメッセージを表示する（ステップＳ１８０５）。なお、この際表示するメッセージは他のものであってもよい。また、表示させる場所は、表示部１１であってもよいし、携帯端末の表示部４０１上であってもよい。一方、判定部１０３が鍵情報がないと判定した場合（ステップＳ１８０４：Ｎｏ）、処理を終了する。
【０１３３】
ステップＳ１８０５の表示を行った後、端末連携プログラム２３は、携帯端末４００に対してその動作を問い合わせ、問い合わせ結果を受信する（ステップＳ１８０６）。携帯端末の動作は、携帯端末４００に設けられた加速度検出部４０８及び傾き検出部４０９の出力によって示される。判定部１０３は、携帯端末４００の動作を判定して、動作毎に割り当てられたプログラムを特定する。そして、起動部１０４が、特定されたプログラムを起動して、処理を終了する（ステップＳ１８０７）。
【０１３４】
例えば、鍵情報が読み出しと、書き込みとの両方を許可する場合について説明する。携帯端末４００が約９０度プライベートフォルダ１７０１の位置で回転されると、携帯端末４００は、加速度検出部４０８で検出した結果や傾き検出部４０９で検出した結果を通信ＩＦ部１７を介して、操作表示装置１に送信する。操作表示装置１は、受信した情報に応じたプログラムを実行することで、プライベートフォルダ１７０１の読み出しのアクセス制限が解除される。また、携帯端末４００が、約１８０度プライベートフォルダ１７０１の位置で回転されると、プライベートフォルダ１７０１の読み出しと書き込みのアクセス制限が解除される。
【０１３５】
この際、解除完了の旨を表示部１１や携帯端末４００の表示部４０１に表示してもよい。また回転の方向で、読み出し、及び書き込みのいずれを解除するかを決定してもよい。また、鍵情報が、読み出しのみを許可するものである場合は、携帯端末４００が約１８０度回転された場合には、「この携帯端末には読み出しのみが許可されています」と表示されて、約９０度携帯端末を回転させる読み出し解除の動作を利用者に促してもよい。なお操作表示装置１が携帯端末４００の回転を検出する方法としては、携帯端末４００の表示部４０１上での接触位置を検出する方法や、携帯端末４００から当該携帯端末４００の向きに関する情報を取得する方法等が挙げられる。また、回転の検出に替えてスライドすることを検出するとしてもよい。
【０１３６】
（第１の実施形態の変形例３）
さらには、携帯端末による操作対象は、データであれば良く、例えば、任意のＷｅｂサイトのページ等であっても良い。そこで、第１の実施形態の変形例３では、Ｗｅｂサイトのページに対して、携帯端末で操作する場合について説明する。
【０１３７】
例えば、本変形例にかかる操作表示装置１が、表示部１１にＷｅｂサイトのページを表示しているものとする。当該Ｗｅｂサイトにアクセス制限がなされている場合、ユーザが、携帯端末４００を用いて、表示部１１上に所定の動作を行うことで、操作表示装置１が、当該動作を検出し、アクセス制限が解除されるように処理を行う。
【０１３８】
以下、図１９に基づき、携帯端末による鍵の解除の処理の流れを説明する。図１９に示されるように、まず、検出部１０２が、位置取得部１５から取得した検出信号から、表示部１１で携帯端末４００が接触した位置の位置座標を取得する（ステップＳ１９０１）。次に、判定部１０３が、取得された位置座標がＷｅｂサイトのページのログインボタンの位置か否かを判定する（ステップＳ１９０２）。Ｗｅｂサイトのページのログインボタンの位置であると判定された場合（ステップＳ１９０２：Ｙｅｓ）、判定部１０３は、携帯端末４００にＷｅｂサイトの鍵情報があるかを問い合わせる（ステップＳ１９０３）。鍵情報としては、Ｗｅｂサイトにアクセスのみ許可するものと、Ｗｅｂサイトに管理者権限でアクセスする等の複数種類が存在するようにしてもよい。一方、判定部１０３が、ログインボタンの位置でないと判定された場合（ステップＳ１９０２：Ｎｏ）、処理を終了する。
【０１３９】
次に、判定部１０３が、問い合わせ結果から、携帯端末４００に鍵情報があるか否かを判定する（ステップＳ１９０４）。鍵情報があると判定した場合（ステップＳ１９０４：Ｙｅｓ）、当該Ｗｅｂサイトに対して、ログイン情報を送信する（ステップＳ１９０５）。これにより、Ｗｅｂサイトで認証処理が行われる。その後、「鍵が合いました」というメッセージが表示される（ステップＳ１９０６）。なお、表示するメッセージは他のものであってもよい。また、表示させる場所は、表示部１１であってもよいし、携帯端末の表示部４０１上であってもよい。一方、判定部１０３が、鍵情報がないと判定した場合（ステップＳ１９０４：Ｎｏ）、処理を終了する。
【０１４０】
ステップＳ１９０５の表示を行った後、操作表示装置１は、Ｗｅｂサイトから認証結果を受信し、Ｗｅｂサイトでの次の画面（認証が行われた後の画面）を表示する（ステップＳ１９０７）。
【０１４１】
その後、操作表示装置１の端末連携プログラム２３は、携帯端末４００に対してその動作を問い合わせ、問い合わせ結果を受信する（ステップＳ１９０８）。携帯端末の動作は、携帯端末４００に設けられた加速度検出部４０８及び傾き検出部４０９の出力によって示される。判定部１０３は、携帯端末４００の動作を判定して、動作毎に割り当てられた処理を特定する。そして、起動部１０４が、特定された処理（例えばＷｅｂサイトに次の画面を表示する旨を指示する）を実施する（ステップＳ１９０９）。
【０１４２】
また、本変形例では、上述した実施形態及び変形例で示した処理と組み合わせても良い。例えば、ログインしたＷｅｂサイトとの間で、動画データ、音楽データ、写真データの送受信を行うことも考えられる。
【０１４３】
上述した実施形態及び変形例では、操作表示装置と携帯端末との間で通信する際に、操作表示装置からの操作で、携帯端末の選択、又は携帯端末から操作表示装置を選択という操作をすることなく、直感的に２つの機器間での通信操作が可能となる。これにより、操作性を向上させた操作表示装置や携帯端末を含む通信機器を提供できる。
【０１４４】
本発明の実施形態を説明したが、実施形態及び変形例は、例として提示したものであり、発明の範囲を限定することは意図していない。これら新規な実施形態及び変形例は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４５】
１…操作表示装置、１１…表示部、１２…ＣＰＵ、１３…表示コントローラ部、１４…記憶部、１５…位置取得部、１６…位置取得ＩＦ部、１７…通信ＩＦ部、２１…アイコン記憶部、２２…プログラム群、２３…端末連携プログラム、１０１…通信制御部、１０２…検出部、１０３…判定部、１０４…起動部、４００、４５０…携帯端末、４０１…表示部、４０２…ＣＰＵ、４０３…表示コントローラ部、４０４…記憶部、４０５…位置取得部、４０６…位置取得ＩＦ部、４０７…通信ＩＦ部、４０８…加速度検出部、４０９…傾き検出部、４１１…プログラム群、４１２…アイコン記憶部、４１３…表示連携プログラム、４２１…制御部、４２２…通信制御部。
【図１】
2014085957.tif 000003
【図２】
2014085957.tif 000004
【図３】
2014085957.tif 000005
【図４】
2014085957.tif 000006
【図５】
2014085957.tif 000007
【図６】
2014085957.tif 000008
【図７】
2014085957.tif 000009
【図８】
2014085957.tif 000010
【図９】
2014085957.tif 000011
【図１０】
2014085957.tif 000012
【図１１】
2014085957.tif 000013
【図１２】
2014085957.tif 000014
【図１３】
2014085957.tif 000015
【図１４】
2014085957.tif 000016
【図１５】
2014085957.tif 000017
【図１６】
2014085957.tif 000018
【図１７】
2014085957.tif 000019
【図１８】
2014085957.tif 000020
【図１９】
2014085957.tif 000021